(57)【要約】      （修正有）【課題】サッシ引戸枠の上部溝を深くして、溝に「筒状の物」をビスで固定しておき必要な時にビスを外して「筒状の物」を外すことにより、サッシ引戸枠上部とサッシ引戸の間に空間を作り、サッシ引戸を室内側に取り外すことができるサッシ引戸枠を提供する。【解決手段】溝を深くしたサッシ引戸枠の上部２に「筒状のもの」３をサッシ引戸枠上部とサッシ引戸を固定するビス５で固定する。サッシ引戸を取り外す時はビスを外し、サッシ引戸を上に引き上げて室内側に取り外すことが出来る。また間口の広い４枚サッシ引戸枠の中間部の上部が下がりサッシ引戸の開け閉めが困難になった場合には筒状の物を高さの低い他の筒状の物に取り替えることにより、サッシ引戸の開け閉めがスムースに改善出来る。【選択図】図３
0003213622.tif 000002
【実用新案登録請求の範囲】
【請求項１】
サッシ引戸枠の上部の溝を深くして、枠の上部溝の内側にサッシ引戸全長さ「サッシ引戸開口部の幅」に相当する長さを「３分割した中空の四角のサッシ材の筒状の物」以下「筒状の物」と称する。サッシ引戸枠の取り付け時に、この「筒状の物」をビス止めする。サッシ引戸を取り外す時は、このビスを外しサッシ引戸を上に引き上げて室内側に取り外すことが出来る様にしたところを特徴とする。
【請求項２】
長年使用している間口の広い４枚サッシ引戸は中間部の上部が下がりサッシ引戸の開け閉めが困難になることがある。この場合、高さの低い「筒状の物」に取り替えることによりサッシ引戸枠とサッシ引戸の上部に空間が出来てサッシ引戸の開け閉めがスムースに改善出来るところを特徴とする。
【請求項３】
サッシ引戸を室内側から上に上げて室内側に取り外す為に室内側手前のサッシ引戸の左側の鍵取り付け部の縦枠の室内側に出っ張っている縁の上部をサッシ引戸の上部の溝を深くした寸法の分だけ短くしてサッシ引戸を上に引き上げて室内側に取り外す事が出来るところを特徴とする。
【考案の詳細な説明】
【技術分野】
【０００１】  本考案は、サッシ引戸枠上部の溝を深くして、サッシ引戸上部溝の内側にサッシ引戸枠全長さ「サッシ引戸開口部の幅」にビスで取り外し出来る「筒状の物」を設けた、サッシ引戸枠に関するものである。
【背景技術】
【０００２】  新築の場合のサッシ引戸の取り付け及び「ガラス破損等でガラス取替時」のサッシ引戸の取り外し及び取り付けは屋外作業で場合によっては「足場」を組む必要もある。また、間口の広い４枚のサッシ引戸は長年経つと中間部の上部が下がりサッシ引戸の開け閉めが困難になることがある。また、面格子を取り付けてあるサッシ引戸又は２階等高い位置の網戸の張替時も同様に室外で網戸取り外ししていた。
【考案の概要】
【考案が解決しようとする課題】
【０００３】  サッシ引戸を取り外しする時に屋外で「網戸」「サッシ引戸」と順番に足場の良くない屋外での作業となり、雨の日もあり労働的負担である。これらに対してサッシ引戸を室内側に取り外すことが出来る作業とする事が可能となり上述の欠点を解決しようとするものである。【０００４】  間口の広い４枚のサッシ引戸「縁側等」は長年経つと建物の中間部の上部が下がりサッシ引戸の開け閉めが固く、また開け閉めが出来なくなる欠点を解決しようとするものである。【０００５】  面格子を取り付けてあるサッシ引戸又は２階等高い位置の網戸の張替時は室外で網戸取り外しとなることの欠点を解決しようとするものである。
【課題を解決するための手段】
【０００６】  本考案は、サッシ引戸枠の内側上部にビスで取り外し可能な「筒状の物」を設け、サッシ引戸２枚を左側に寄せ右端の「筒状の物」の左右のビスを外して右端の「筒状の物」を取り外す。次に、右端から２個目の「筒状の物亅の右側のビスを外してサッシ引戸２枚を右側に寄せて右端から２個目の「筒状の物」の左側のビスを外してサッシ引戸２枚を左側に寄せ「筒状の物」を右側にスライドさせて引き抜くことにより、右側のサッシ引戸枠の上部に空間が出来てサッシ引戸を室内側から上に上げて室内側に取り外すことが出来ることにより問題点を解決している。また、間口の広いの４枚サッシ引戸の場合は３個目の「筒状の物」の左右のビスを外して３個目の「筒状の物」を取り外す。この繰り返し作業により「筒状の物」６個を取り外したら、高さの低い「筒状の物」に取り替える事により問題点を解決している。また、「筒状の物」を取り外すことにより出来るサッシ引戸枠の上部空間の高さに相当する室内側手前のサッシ引戸の左側の鍵取り付け部の縦枠出っ張りの上部を「筒状の物」の高さ寸法の分だけ短くしてを短くすることにより、サッシ引戸を室内側から上に上げて室内側に取り外すことが出来るところを特徴とする。
【考案の効果】
【０００７】  上述の様に、本考案のビスにより取り外し可能な「筒状の物」を設けたのでサッシ引戸を左側に寄せて順次ビスを外して「筒状の物」をスライドさせて引き抜いていくことによりサッシ引戸を室内側から上に上げて室内側に取り外すことが出来る。【０００８】  間口が広い４枚のサッシ引戸「縁側等」を長年使用していて、中間部の上部が下がりサッシ引戸の開け閉めが困難となった場合は、高さの低い「筒状の物」に取り替えることにより、上部に空間が出来ることとなりサッシ引戸の開け閉めがスムースに出来る。【０００９】  面格子を取り付けてあるサッシ引戸又は２階等高い位置の網戸の張替時は上述の様に、室内側に取り外し事により欠点を解決しようとするものである。
【図面の簡単な説明】
【００１０】
【図１】  本考案のサッシ引戸枠と「筒状の物」正面図である。
【図２】  本考案のサッシ引戸枠と「筒状の物」断面図である。
【図３】  本考案のサッシュ引戸枠と「筒状の物」を示す（Ａ−Ａ’）参考断面図である。
【図４】  本考案の「筒状の物」正面図である。
【図５】  本考案の「筒状の物」を示す（Ｂ−Ｂ’）一部切欠参考断面図である。
【図６】  本考案の高さの低い「筒状の物」正面図である。
【図７】  仝上の一部切欠参考断面図である。
【図８】  サッシ引戸枠上部と「筒状の物」を固定するビス参考正面図である。
【考案を実施するための形態】
【００１１】  サッシ引戸２枚を左側に寄せて手前側サッシ引戸の右側のひとつの「筒状の物」の両端のビスを外す。これにより筒状の物が外れる。次に２枚目のサッシ引戸の「筒状の物」のひとつの両端のビスを外す。これにより２枚目のサッシ引戸上部の「筒状の物」が外れる。次にサッシ引戸２枚分の中間部の「筒状の物」の右側のビスを外す。次に、サッシ引戸２枚を右側に寄せて中間部の「筒状の物」のサッシ引戸２枚分の左側のビスを外す。そして、サッシ筒状の引戸２枚を左側に寄せて「筒状の物」を２本共右側にスライドさせて取り外す。このことと、室内側手前の左側の鍵取り付け部の縦枠出っ張りの上部を「筒状の物」の高さ寸法の分だけ短くすることにより、サッシ引戸が室内側に取り外し可能となる。
【実施例】
【００１２】  以下、添付図面に従って一実施例を説明する。１はサッシ引戸枠本体、２は溝を深くするサッシ引戸枠の上部、３は「筒状の物」、４は高さの低い「筒状の物」、５はサッシ引戸枠上部と「筒状の物」を止めるビス。【００１３】  ２は溝を深くするサッシ引戸上部で、この深くした溝に３の「筒状の物」を４のビスで固定する。このビスを取り外して「筒状の物」を外すことによりサッシ引戸枠の上部に空間を作る。【００１４】  ６はサッシ引戸の鍵取り付け部の上部を「筒状の物」の高さ寸法の分だけ短くする。
【符号の説明】
【００１５】  １  サッシ引戸枠本体
２  溝を深くするサッシ引戸枠の上部
３  「筒状の物」
４  高さの低い「筒状の物」
５  サッシ引戸枠上部と「筒状の物」を止めるビス
６  サッシ引戸の鍵取り付け部の上部を「筒状の物」の高さ寸法の分だけ短くする
【図１】
0003213622.tif 000003
【図２】
0003213622.tif 000004
【図３】
0003213622.tif 000005
【図４】
0003213622.tif 000006
【図５】
0003213622.tif 000007
【図６】
0003213622.tif 000008
【図７】
0003213622.tif 000009
【図８】
0003213622.tif 000010
【手続補正書】
【提出日】平成29年9月6日(2017.9.6)
【手続補正１】
【補正対象書類名】実用新案登録請求の範囲
【補正対象項目名】全文
【補正方法】変更
【補正の内容】
【実用新案登録請求の範囲】
【請求項１】
サッシ引戸枠の上部の溝を深くして、枠の上部溝の内側にサッシ引戸枠全長さに相当する長さを３分割した中空の四角のサッシ材の筒状の物を設けてなるサッシ引戸枠であってサッシ引戸の取り付け時に、この「筒状の物」をビス止めして、サッシ引戸を取り外す時はこのビスを外し、サッシ引戸を上に引き上げて室内側に取り外すことが出来る様にしたところを特徴とするサッシ引戸枠。
【請求項２】
前記サッシ引戸枠は間口の広い４枚サッシ引戸枠であって前記引戸枠の中間部の上部が下がりサッシ引戸の開け閉めが困難になった場合に前記筒状の物を高さの低い他の筒状の物に取り替えることによりサッシ引戸枠とサッシ引戸の上部に空間が出来てサッシ引戸の開け閉めがスムースに改善出来るところを特徴とする請求項１に記載のサッシ引戸枠。
【請求項３】
請求項１に記載のサッシ引戸枠とサッシ引戸とからなるサッシ引戸構造であって室内側手前のサッシ引戸の左側の鍵取り付け部の縦枠の室内側に出っ張っている縁の上部をサッシ引戸枠の上部の溝を深くした寸法の分だけ短くしてサッシ引戸枠上部から前記筒状の物を取り外しサッシ引戸を上に引き上げて室内側に取り外す事が出来るところを特徴とするサッシ引戸枠構造。